(57)【要約】【課題】二つの構成部分の間にリング部材を設けて構成される筐体の側面に、筐体を厚くすることなくスイッチを設けることができる電子機器を提供する。【解決手段】第１筐体部材２３および第２筐体部材２４により略箱状に形成された筐体２０の、第１筐体部材２３と第２筐体部材間２４の境界に沿って設けられたパネル４０を避けずに、パネル４０にサイドキー５０を設けたので、サイドキー５０を設けるために筐体２０の厚さを増すのを回避できる。すなわち、第１筐体部材２３は、筐体２０の外側を向いて設けられた第１壁部２３１に、第２筐体部材２４側が開放された貫通孔２３３を有しており、この貫通孔２３３にサイドキー５０が取り付けられる。サイドキー５０は、貫通孔２３３に配置されており、キートップ５１が外部露出する。キートップ５１は、キートップ５１の背面に取り付けられ、かつ、第１壁部２３１における筐体２０の内側を向く面５２３に設けられた保持手段４１に保持される保持シート５２に取り付けられる。【選択図】図３
2012235259.tif 000002
【特許請求の範囲】
【請求項１】
第１筐体部材および第２筐体部材により略箱状に形成された筐体と、
前記筐体における前記第１筐体部材および前記第２筐体部材間の境界に沿うパネルと、
前記パネルに設けられたサイドキーと、を備え、
前記第１筐体部材は、第１壁部と、前記第１壁部に設けられた貫通孔と、を有し、
前記パネルは、前記貫通孔に対応する位置に保持手段を有し、
前記サイドキーは、前記貫通孔に対応する位置に配置されて外部露出するキートップと、前記キートップの背面に取り付けられて、前記保持手段に保持される保持シートと、を有し、
前記保持手段は、前記第１筐体部材の前記第１壁部と、前記第２筐体部材と、により挟まれた電子機器。
【請求項２】
第１筐体部材および第２筐体部材により略箱状に形成された筐体と、
前記筐体における前記第１筐体部材および前記第２筐体部材間の境界に沿うパネルと、
前記パネルに設けられたサイドキーと、を備え、
前記第１筐体部材が、前記筐体の外側を向く第１壁部と、前記第１壁部に対して交差するとともに前記第２筐体部材側を向く第１支持面と、前記第１壁部に設けられるとともに前記第２筐体部材側が開放された貫通孔と、を有し、
前記サイドキーが、前記貫通孔に配置されて外部露出するキートップと、前記キートップを前記第１壁部に保持するために前記キートップの背面に取り付けられ、かつ、前記第１壁部における前記筐体の内側を向く面に設けられた保持手段に保持される保持シートと、を有し、
前記保持手段が、前記保持シートにおける前記第１筐体部材側の第１縁部を支持する第１シート支持面と、前記第１縁部に隣り合うとともに互いに平行な一対の第２縁部を支持する一対の第２シート支持面と、前記各第２シート支持面に対して交差するとともに前記保持シートにおける前記筐体の内側を向く面を支持する一対の第３シート支持面とを有する電子機器。
【請求項３】
請求項１または請求項２に記載の電子機器において、
前記パネルが、前記第１筐体部材および前記第２筐体部材間の境界に沿って前記筐体を周回する環状である電子機器。
【請求項４】
請求項１ないし請求項３のうちのいずれか１項に記載の電子機器において、
前記保持シートが、前記保持手段に対して前記第２筐体部材側から差し込まれる電子機器。
【請求項５】
第１筐体部材および第２筐体部材により略箱状に形成された筐体と、
前記筐体における前記第１筐体部材および前記第２筐体部材間の境界に沿うパネルと、
前記パネルに設けられたサイドキーと、を備え、
前記第１筐体部材が、前記筐体の外側を向く第１壁部と、前記第１壁部に対して交差するとともに前記第２筐体部材側を向く第１支持面と、前記第１壁部に設けられるとともに前記前記第２筐体部材側が開放された貫通孔と、を有し、
前記第２筐体部材が、前記第１壁部の一部を覆う第２壁部と、前記第２壁部の先端に設けられて前記第１支持面と対面する第２支持面とを備え、
前記パネルが、前記第１壁部、前記第１支持面および前記第２支持面に接触し、
前記サイドキーが、前記貫通孔に配置されて外部露出するキートップと、前記キートップを前記第１壁部に保持するために前記キートップの背面に取り付けられ、かつ、前記第１壁部における前記筐体の内側を向く面に設けられた保持手段に保持される保持シートと、を有し、
前記保持手段が、前記保持シートにおける前記第１筐体部材側の第１縁部を支持する第１シート支持面と、前記第１縁部に隣り合うとともに互いに平行な一対の第２縁部を支持する一対の第２シート支持面と、前記各第２シート支持面に対して交差するとともに前記保持シートにおける前記筐体の内側を向く面を支持する一対の第３シート支持面とを有し、
前記保持シートが、前記保持手段に対して前記第２筐体部材側から差し込まれる電子機器。
【発明の詳細な説明】
【技術分野】
【０００１】
本発明は、二つの部分で構成される筐体の側面にスイッチを有する電子機器に関するものである。
【背景技術】
【０００２】
従来より、二つの部分で構成される筐体の側面にスイッチを有する電子機器が知られている（例えば、特許文献１参照）。
図９に示すように、特許文献１に記載の電子機器１００は、ケース１０１とカバー（図示省略）によって筐体１０２が構成されており、筐体１０２は、上下に２分割可能となっている。筐体１０２において、ケース１０１にはボタン取付穴１０３が設けられており、ケース１０１の内面のボタン取付穴１０３の左右両側には、溝部１０４が設けられている。溝部１０４は、全体Ｌ字型及び逆Ｌ字型のリブ１０５と，その内側に短い直線状のリブ１０６を有する。溝部１０４には板金製プレート１０７の両端１０７Ａ，１０７Ａをスライド挿入してケース側壁に対して垂直な方向及び筐体の長手方向への固定保持が行なわれるようになっている。
【０００３】
プレート１０７の前面には、フレキシブルプリント板１０９の一端に取り付けられたダイヤフラム１１０が配設される。ダイヤフラム１１０の前面には、ボタン１０８が配設される。ダイヤフラム１１０の前面には凸部１１０Ａが設けられており、ボタン１０８にはダイヤフラム１１０の凸部１１０Ａが嵌合する凹部１０８Ａが設けられている。
従って、ボタン１０８とダイヤフラム１１０は、一体となっており、ボタン１０８の凹部１０８Ａを押圧することにより、フレキシブルプリント板１０９上の凸部１１０Ａが押圧される。
【先行技術文献】
【特許文献】
【０００４】
【特許文献１】特開平０５−３０８１９５号公報（第２図）
【発明の概要】
【発明が解決しようとする課題】
【０００５】
しかしながら、二つの部分で構成される筐体の間に、リング部材等のパネルが設けられる場合がある。このような場合において筐体の側面にスイッチを設ける場合に、リング部材等のパネルを避けてスイッチを設けると、筐体が厚くなるという問題があった。
【０００６】
本発明は、従来の問題を解決するためになされたもので、二つの構成部分の間にリング部材等のパネルを設けて構成される筐体の側面に、筐体の側面方向（幅方向）に筐体を厚くすることなくスイッチを設けることができる電子機器を提供することを目的とする。
【課題を解決するための手段】
【０００７】
本発明の電子機器は、第１筐体部材および第２筐体部材により略箱状に形成された筐体と、前記筐体における前記第１筐体部材および前記第２筐体部材間の境界に沿うパネルと、前記パネルに設けられたサイドキーと、を備え、前記第１筐体部材は、第１壁部と、前記第１壁部に設けられた貫通孔と、を有し、前記パネルは、前記貫通孔に対応する位置に保持手段を有し、前記サイドキーは、前記貫通孔に対応する位置に配置されて外部露出するキートップと、前記キートップの背面に取り付けられて、前記保持手段に保持される保持シートと、を有し、前記保持手段は、前記第１筐体部材の前記第１壁部と、前記第２筐体部材と、により挟まれたものである。
【０００８】
また、本発明の電子機器は、第１筐体部材および第２筐体部材により略箱状に形成された筐体と、前記筐体における前記第１筐体部材および前記第２筐体部材間の境界に沿うパネルと、前記パネルに設けられたサイドキーと、を備え、前記第１筐体部材が、前記筐体の外側を向く第１壁部と、前記第１壁部に対して交差するとともに前記第２筐体部材側を向く第１支持面と、前記第１壁部に設けられるとともに前記第２筐体部材側が開放された貫通孔と、を有し、前記サイドキーが、前記貫通孔に配置されて外部露出するキートップと、前記キートップを前記第１壁部に保持するために前記キートップの背面に取り付けられ、かつ、前記第１壁部における前記筐体の内側を向く面に設けられた保持手段に保持される保持シートと、を有し、前記保持手段が、前記保持シートにおける前記第１筐体部材側の第１縁部を支持する第１シート支持面と、前記第１縁部に隣り合うとともに互いに平行な一対の第２縁部を支持する一対の第２シート支持面と、前記各第２シート支持面に対して交差するとともに前記保持シートにおける前記筐体の内側を向く面を支持する一対の第３シート支持面とを有するものである。
【０００９】
また、本発明の電子機器は、前記パネルが、前記第１筐体部材および前記第２筐体部材間の境界に沿って前記筐体を周回する環状であるものである。
【００１０】
さらに、本発明の電子機器は、前記保持シートが、前記保持手段に対して前記第２筐体部材側から差し込まれるものである。
【００１１】
さらに、本発明の電子機器は、第１筐体部材および第２筐体部材により略箱状に形成された筐体と、前記筐体における前記第１筐体部材および前記第２筐体部材間の境界に沿うパネルと、前記パネルに設けられたサイドキーと、を備え、前記第１筐体部材が、前記筐体の外側を向く第１壁部と、前記第１壁部に対して交差するとともに前記第２筐体部材側を向く第１支持面と、前記第１壁部に設けられるとともに前記前記第２筐体部材側が開放された貫通孔と、を有し、前記第２筐体部材が、前記第１壁部の一部を覆う第２壁部と、前記第２壁部の先端に設けられて前記第１支持面と対面する第２支持面とを備え、前記パネルが、前記第１壁部、前記第１支持面および前記第２支持面に接触し、前記サイドキーが、前記貫通孔に配置されて外部露出するキートップと、前記キートップを前記第１壁部に保持するために前記キートップの背面に取り付けられ、かつ、前記第１壁部における前記筐体の内側を向く面に設けられた保持手段に保持される保持シートと、を有し、前記保持手段が、前記保持シートにおける前記第１筐体部材側の第１縁部を支持する第１シート支持面と、前記第１縁部に隣り合うとともに互いに平行な一対の第２縁部を支持する一対の第２シート支持面と、前記各第２シート支持面に対して交差するとともに前記保持シートにおける前記筐体の内側を向く面を支持する一対の第３シート支持面とを有し、前記保持シートが、前記保持手段に対して前記第２筐体部材側から差し込まれるものである。
【発明の効果】
【００１２】
本発明は、第１筐体部材および第２筐体部材により略箱状に形成された筐体の、第１筐体部材と第２筐体部材間の境界に沿って設けられたパネルを避けずに、パネルにサイドキーを設けたので、サイドキーを設けるために筐体の側面方向（幅方向）に筐体の厚さを増すのを回避できるという効果を有する電子機器を提供できる。
【図面の簡単な説明】
【００１３】
【図１】（Ａ）は本発明に係る実施形態の携帯端末の斜視図、（Ｂ）は携帯端末の側面図
【図２】携帯端末の蓋部材を筐体から外して裏返した状態の斜視図
【図３】筐体の分解斜視図
【図４】図１（Ｂ）中ＩＶ−ＩＶ位置における筐体の一般部の断面図
【図５】サイドキーを第２パネルを介してカバーに取り付ける構造を示す分解斜視図
【図６】サイドキーおよび保持手段の分解斜視図
【図７】サイドキーを保持している保持手段の斜視図
【図８】（Ａ）図１（Ｂ）中Ａ−Ａ位置の断面図、（Ｂ）は図１（Ｂ）中Ｂ−Ｂ位置の断面図
【図９】従来の電子機器におけるサイドキー取付け部の分解斜視図
【発明を実施するための形態】
【００１４】
以下、本発明に係る実施形態の電子機器について、図面を用いて説明する。
図１に示すように、本発明に係る実施形態の電子機器としての携帯端末１０は、筐体２０と、筐体２０の裏面（図１において上側面）を覆う蓋部材１１を有する。筐体２０および蓋部材１１は、略同じ平面寸法の矩形状を有しており、互いに相手を覆うようになっている。
すなわち、図２に示すように、略箱状の筐体２０に設けられている電池パック２１は蓋部材１１により覆われ、筐体２０に設けられているカメラユニット２２は、蓋部材１１に設けられているカメラ用開口部１２から露出するようになっている。
【００１５】
図２および図３に示すように、筐体２０は、第１筐体部材であるカバー２３および第２筐体部材であるケース２４により略箱状に形成される。カバー２３とケース２４との間には、第１パネル３０および第２パネル４０が、カバー２３およびケース２４の積層方向（図２および図３において上下方向）に配列されて設けられている。
第１パネル３０および第２パネル４０の少なくとも一方（ここでは両方）は、カバー２３とケース２４との境界に沿って周回する環状となっている。
【００１６】
図４に示すように、カバー２３は、筐体２０の外側（図４において右側）を向く第１壁部２３１と、第１壁部２３１に対して交差するとともにケース２４側（上側）を向く第１支持面２３２と、を有する。
ケース２４は、カバー２３の第１壁部２３１の一部を覆う第２壁部２４１と、この第２壁部２４１の先端（図４において下端）に設けられてカバー２３の第１支持面２３２と対面する第２支持面２４２を有する。
【００１７】
第１パネル３０は、カバー２３の第１壁部２３１および第１支持面２３２に接触するとともに、第２パネル４０に接触する。従って、第１パネル３０は、カバー２３と第２パネル４０により挟まれる。
一方、第２パネル４０は、カバー２３の第１壁部２３１、ケース２４の第２支持面２４２および第１パネル３０に接触する。従って、第２パネル４０は、第１パネル３０とケース２４との間に挟まれる。
【００１８】
図１および図２に示すように、筐体２０の側面には、サイドキー５０Ａ、５０Ｂ、５０Ｃが設けられている。これに対応して、蓋部材１１の側面下端部には、サイドキー用開口部１１１Ａ、１１１Ｂ、１１１Ｃが設けられている（図８（Ａ）参照）。
また、図３に示すように、ケース２４の側面下端部には、サイドキー用開口部１１１Ａ、１１１Ｂ、１１１Ｃに対応して、サイドキー用開口部２４３Ａ、２４３Ｂ、２４３Ｃが設けられている（図８（Ａ）参照）。
【００１９】
図３に示すように、ケース２４のサイドキー用開口部２４３Ａ、２４３Ｂ、２４３Ｃに対応して、カバー２３の第１壁部２３１には、ケース２４側が開放された貫通孔２３３Ａ、２３３Ｂ、２３３Ｃが設けられている（図８（Ａ）参照）。
なお、サイドキー５０Ａ、５０Ｂ、５０Ｃについて取付け構造が共通するので、以下の説明においては、特に区別する場合を除いて「サイドキー５０」および「貫通孔２３３」で総称し、サイドキー５０Ａの場所について説明することとする。
【００２０】
図５および図６に示すように、サイドキー５０は、貫通孔２３３に配置されて外部に露出するキートップ５１と、キートップ５１を背面側（筐体２０の内側）から支持する保持シート５２を有する。保持シート５２は、キートップ５１より大きな矩形板状部材であり、例えばシリコン製の樹脂シートとすることができる。
これにより、キートップ５１を押圧することにより保持シート５２は容易に撓むので、筐体２０の内側に設けられているスイッチ機構（図示省略）に当接して、確実に操作することができる。
【００２１】
図３に示すように、第２パネル４０における筐体２０の内側を向く面には、カバー２３の貫通孔２３３に対応して、サイドキー５０を保持する保持手段４１が設けられている。
図６および図８（Ｂ）に示すように、保持手段４１は、第１シート支持面４１１と、一対の第２シート支持面４１２、４１２と、一対の第３シート支持面４１３、４１３とを有する。
【００２２】
第１シート支持面４１１は、サイドキー５０の保持シート５２におけるカバー２３側（図６において下側）の第１縁部５２１を支持する。一対の第２シート支持面４１２、４１２は、第１縁部５２１に隣り合うとともに互いに平行な一対の第２縁部５２２、５２２を支持する。一対の第３シート支持面４１３、４１３は、各第２シート支持面４１２に対して交差するとともに保持シート５２における筐体２０の内側を向く面（内面５２３）を支持する。
【００２３】
保持シート５２は、保持手段４１に対してケース２４側（図６において上側）から下方へ差し込むことができる。
これにより、図７に示すように、保持シート５２は、第２パネル４０設けられた保持手段４１に保持され、サイドキー５０は第２パネル４０およびカバー２３を介して筐体２０に取り付けられる。
ここで、第２パネル４０は、貫通孔２３３に対応する位置に保持手段４１を有している。また、保持手段４１の幅は、貫通孔２３３の幅よりも長いか、又は、保持手段４１の高さは、貫通孔２３３の高さよりも高いことが好ましい。そして、保持手段４１は、第１筐体部材２３の第１壁部２３１と、第２筐体部材２４と、により挟まれている（または挟持されている）。これにより、サイドキー５０を第２パネル４０に保持していながらも筐体２０（第１筐体部材２３と第２筐体部材２４）で保持手段４１を挟むことで強度的な課題が軽減される。
【００２４】
以上、説明した本発明に係る実施形態の携帯端末１０によれば、カバー２３およびケース２４により略箱状に形成された筐体２０の、カバー２３とケース２４間の境界に沿って設けられた第２パネル４０を避けずに、第２パネル４０にサイドキー５０を設けたので、サイドキー５０を設けるために筐体の側面方向（幅方向）に筐体２０の厚さを増すのを回避できる。また、サイドキー５０を第２パネル４０に保持していながらも筐体２０（第１筐体部材２３と第２筐体部材２４）で保持手段４１を挟むことで強度的な課題が軽減される。
なお、上記では、第１壁部２３１は第１筐体部材２３の一部として同一部材として構成するとして説明したが、第１壁部２３１と第１筐体部材２３（第１壁部２３１の部分は除いた本体部材）とを別部材で構成してもよい。
【００２５】
カバー２３は、筐体２０の外側を向く第１壁部２３１と、第１壁部２３１に対して交差するとともにケース２４側を向く第１支持面２３２とを有する。また、カバー２３は、第１壁部２３１に、ケース２４側が開放された貫通孔２３３を有しており、この貫通孔２３３にサイドキー５０が取り付けられる。
【００２６】
サイドキー５０は、貫通孔２３３に配置されており、キートップ５１が外部露出する。キートップ５１は、キートップ５１の背面に取り付けられ、かつ、第１壁部２３１における筐体２０の内側を向く面に設けられた保持手段４１に保持される保持シート５２に取り付けられる。
【００２７】
保持手段４１は、保持シート５２を保持するために、第１シート支持面４１１、第２シート支持面４１２、第３シート支持面４１３を有する。第１シート支持面４１１は、保持シート５２におけるカバー２３側の第１縁部５２１を支持する。また、第２シート支持面４１２は、第１縁部５２１に隣り合うとともに互いに平行な一対の第２縁部５２２を支持すべく、対向して一対設けられている。また、第３シート支持面４１３は、一対の第２シート支持面４１２と、各第２シート支持面４１２に対して交差するとともに保持シート５２における筐体２０の内側を向く内面５２３を支持すべく一対設けられている。
【００２８】
第２パネル４０は、カバー２３およびケース２４間の境界に沿って筐体２０を周回する環状であるので、サイドキー５０を設ける位置の選択の自由度が増す。
【００２９】
保持シート５２は、保持手段４１に対してケース２４側から差し込まれる。
【００３０】
カバー２３およびケース２４により略箱状に形成された筐体２０の、カバー２３とケース２４間の境界に沿って設けられたパネルを避けずに、パネルにサイドキー５０を設けたので、サイドキー５０を設けるために筐体２０の厚さを増すのを回避できる。
カバー２３は、筐体２０の外側を向く第１壁部２３１と、第１壁部２３１に対して交差するとともにケース２４側を向く第１支持面２３２とを有する。また、ケース２４は、第１壁部２３１の一部を覆う第２壁部と、第２壁部の先端に設けられて第１支持面２３２と対面する第２支持面とを有する。パネルは、第１壁部２３１、第１支持面２３２、第２支持面に接触して取り付けられる。また、カバー２３は、第１壁部２３１に、ケース２４側が開放された貫通孔２３３を有しており、この貫通孔２３３にサイドキー５０が取り付けられる。
【００３１】
サイドキー５０は、貫通孔２３３に配置されており、キートップ５１が外部露出する。キートップ５１は、キートップ５１の背面に取り付けられ、かつ、第１壁部２３１における筐体２０の内側を向く面に設けられた保持手段４１に保持される保持シート５２に取り付けられる。
【００３２】
保持手段４１は、保持シート５２を保持するために、第１シート支持面４１１、第２シート支持面４１２、第３シート支持面４１３を有する。第１シート支持面４１１は、保持シート５２におけるカバー２３側の第１縁部５２１を支持する。また、第２シート支持面４１２は、第１縁部５２１に隣り合うとともに互いに平行な一対の第２縁部５２２を支持すべく、対向して一対設けられている。また、第３シート支持面４１３は、一対の第２シート支持面４１２と、各第２シート支持面４１２に対して交差するとともに保持シート５２における筐体２０の内側を向く内面５２３を支持すべく一対設けられている。
そして、保持シート５２は、保持手段４１に対してケース２４側から差し込まれる。
【００３３】
なお、本発明の電子機器は、前述した実施形態に限定されるものでなく、適宜な変形，改良等が可能である。
例えば、前述した実施形態においては、３個のサイドキー５０Ａ、５０Ｂ、５０Ｃを設けた場合を例示したが、本発明は、個数を制限するものではない。３個以上のサイドキーを設ける場合にも適用可能である。
【産業上の利用可能性】
【００３４】
以上のように、本発明にかかる電子機器は、第１筐体部材および第２筐体部材により略箱状に形成された筐体の、第１筐体部材と第２筐体部材間の境界に沿って設けられたパネルを避けずに、パネルにサイドキーを設けたので、サイドキーを設けるために筐体の側面方向（幅方向）に筐体の厚さを増すのを回避できるという効果を有し、筐体の側面にスイッチを有する電子機器等として有用である。
【符号の説明】
【００３５】
１０  携帯端末（電子機器）
１１  蓋部材
２０  筐体
２３  カバー（第１筐体部材）
２３１  第１壁部
２３２  第１支持面
２３３  貫通孔
２４  ケース（第２筐体部材）
３０  第１パネル
４０  第２パネル（パネル）
４１  保持手段
４１１  第１シート支持面
４１２  第２シート支持面
４１３  第３シート支持面
５０  サイドキー
５１  キートップ
５２  保持シート
５２１  第１縁部
５２２  第２縁部
５２３  内面（筐体の内側を向く面）
【図１】
2012235259.tif 000003
【図２】
2012235259.tif 000004
【図３】
2012235259.tif 000005
【図４】
2012235259.tif 000006
【図５】
2012235259.tif 000007
【図６】
2012235259.tif 000008
【図７】
2012235259.tif 000009
【図８】
2012235259.tif 000010
【図９】
2012235259.tif 000011